(57)【要約】【課題】トラップ内に溜める水の量を抑えたうえで、トラップ内に封水に十分な高さの喫水線を確保でき、節水を行うことができる水洗便器を提案する。【解決手段】本発明の一実施形態の水洗便器は、底部に排水口１０を有する便器ボウル１と、排水口１０に接続された変形可能な排水トラップ２と、排水トラップ２を排水姿勢と封水姿勢とに切り替える切替部３と、便器ボウル１に水を供給する給水部４とを備える。更に、本発明の一実施形態の水洗便器は、封水姿勢にあるときの排水トラップ２内の水を嵩上げする嵩上げ部材５と、嵩上げ部材５を排水トラップ２内に出し入れする駆動部６とを備える。【選択図】図１
2016118000.tif 000002
【特許請求の範囲】
【請求項１】
底部に排水口を有する便器ボウルと、
前記排水口に接続された変形可能な排水トラップと、
前記排水トラップを排水姿勢と封水姿勢とに切り替える切替部と、
前記便器ボウルに水を供給する給水部と、
前記封水姿勢にあるときの前記排水トラップ内の水を嵩上げする嵩上げ部材と、
前記嵩上げ部材を前記排水トラップ内に出し入れする駆動部とを備えることを特徴とする水洗便器。
【請求項２】
前記駆動部は、
前記排水トラップが前記封水姿勢にあるときに、前記嵩上げ部材の出し入れを行うように設けたものであることを特徴とする請求項１に記載の水洗便器。
【発明の詳細な説明】
【技術分野】
【０００１】
本発明は、水洗便器に関し、詳しくは、排水トラップの姿勢を切り替え可能な水洗便器に関する。
【背景技術】
【０００２】
特許文献１には、トラップを給水姿勢と排水姿勢とに切り替え可能な水洗便器が提案されている。
【０００３】
特許文献１に記載の水洗便器では、給水姿勢にあるときのトラップ内に洗浄水を溜めることで、トラップを封水するようになっている。
【先行技術文献】
【特許文献】
【０００４】
【特許文献１】特開２００５−１５５１４６号公報
【発明の概要】
【発明が解決しようとする課題】
【０００５】
特許文献１に記載の水洗便器では、トラップ内に封水に十分な高さの喫水線を確保するために、その分だけ洗浄水が多く必要となる。
【０００６】
本発明は、トラップ内に溜める水の量を抑えたうえで、トラップ内に封水に十分な高さの喫水線を確保でき、節水を行うことができる水洗便器を提案することを課題とする。
【課題を解決するための手段】
【０００７】
上記課題を解決するための本発明の水洗便器は、底部に排水口を有する便器ボウルと、前記排水口に接続された変形可能な排水トラップと、前記排水トラップを排水姿勢と封水姿勢とに切り替える切替部と、前記便器ボウルに水を供給する給水部と、前記封水姿勢にあるときの前記排水トラップ内の水を嵩上げする嵩上げ部材と、前記嵩上げ部材を前記排水トラップ内に出し入れする駆動部とを備えることを特徴とする。
【発明の効果】
【０００８】
本発明の水洗便器は、トラップ内に溜める水の量を抑えたうえで、トラップ内に封水に十分な高さの喫水線を確保でき、節水を行うことができる。
【図面の簡単な説明】
【０００９】
【図１】本発明の一実施形態の水洗便器を概略的に示す側面断面図であり、排水トラップが封水姿勢にあるときの状態を示す図である。
【図２】同上の水洗便器を概略的に示す側面断面図であり、排水トラップが排水姿勢にあるときの状態を示す図である。
【発明を実施するための形態】
【００１０】
図１に示す本発明の一実施形態の水洗便器は、便器ボウル１の底部の排水口１０に接続された排水トラップ２の姿勢を切り替え可能な水洗便器である。以下では、平面視において排水トラップ２に対して便器ボウル１が位置する側を前方とし、その反対側を後方とし、この前後方向に直交する方向を左右方向として、各構成について説明する。図１においては、矢印Ｘ１で示す方向が前方であり、矢印Ｚ１で示す方向が上方である。
【００１１】
水洗便器は、便器ボウル１と、排水トラップ２と、排水トラップ２の姿勢を切り替える切替部３と、便器ボウル１に水を供給する給水部４とを備える。更に、水洗便器は、排水トラップ２内の水を嵩上げする嵩上げ部材５と、嵩上げ部材５を排水トラップ２内に出し入れする駆動部６と、排水トラップ２が収納されるトラップケース７とを備える。
【００１２】
更に、水洗便器は、便器ボウル１の上端と一体のリム１１と、リム１１と一体で便器ボウル１の周囲を覆うスカート１２と、リム１１上に載置される便座１３と、便座１３を覆う便蓋１４とを備える。更に、水洗便器は、局部洗浄ノズル、局部乾燥用の温風装置、脱臭装置、便座１３の加温装置、及びこれらを制御する制御装置等を適宜備える。
【００１３】
便器ボウル１は、後方に突出する筒部１５を底部に有し、筒部１５の先端部（後端部）に、後方に開口する排水口１０を有する。
【００１４】
排水トラップ２は、屈曲自在な蛇腹状の管体であり、変形可能である。排水トラップ２は、上流端部が筒部１５の排水口１０に接続されている。排水トラップ２は、下流端部が切替部３によって支持されて、切替部３によって上下に回動される。
【００１５】
排水トラップ２は、トラップケース７内に回動自在に配置されている。トラップケース７は、排水トラップ２の上流端部が挿通される挿通口７０と、外部の排水管に接続される排出口７１とを有する。挿通口７０には、排水トラップ２の上流端部が隙間なく取り付けられる。
【００１６】
切替部３は、排水トラップ２の下流端部の外周に取り付けられるリング状の支持部３０と、支持部３０に一端が固定されたアーム部３１と、アーム部３１の他端に固定された軸部３２と、軸部３２を回転させるモーターとを有する。切替部３は、モーターの駆動により軸部３２を回転させることで、アーム部３１及び支持部３０を回動し、これにより、排水トラップ２の下流端部を上下に回動させる。
【００１７】
切替部３は、排水トラップ２を、その下流端部の開口が後斜め上方を向く封水姿勢（図１参照）と後斜め下方を向く排水姿勢（図２の実線部分参照）とに切り替え自在である。切替部３は、排水トラップ２を、封水姿勢よりも更に上方に回動させた上姿勢に切り替えることも可能である。排水トラップ２は、上姿勢のときに、下流端部の開口が略鉛直方向上方を向く。
【００１８】
給水部４は、その上流端部が上水道に接続され、下流端部の開口が、便器ボウル１の上部に配されている。給水部４は、便器ボウル１の内面に沿う方向に水を供給して、便器ボウル１内に旋回する流れを形成する。
【００１９】
給水部４は、封水姿勢にあるときの排水トラップ２内に所定の高さの喫水線が形成されるまで、便器ボウル１に水を供給するように設けられている。ここで、所定の高さとは、排水トラップ２及び筒部１５の封水に十分な高さである。この高さは、筒部１５の上端よりも高い位置であり、例えば、封水姿勢にあるときの排水トラップ２の下流端開口のうち後端の高さ位置である。給水部４から供給される水の合計量は、例えば、時間当たりの供給量の変更することや、供給時間を変更することで、適宜調整可能である。封水姿勢にあるときの排水トラップ２内に所定の高さの喫水線が形成されるとき、便器ボウル１内にも同じ高さの喫水線が形成される。
【００２０】
嵩上げ部材５は、排水トラップ２内に出し入れ可能な寸法及び形状を有する。嵩上げ部材５は、例えば立方体状である。嵩上げ部材５は、例えば合成樹脂製である。なお、嵩上げ部材５の形状及び材質は、上記の形状及び材質以外であってもよく、特に限定されない。
【００２１】
駆動部６は、ギア６０を有するモーターと、ギア６０と噛み合って軸方向に進退する軸６１とを有する。軸６１は、一端（下端）に嵩上げ部材５が固定されている。駆動部６は、モーターでギア６０を回転させることで、ギア６０に噛み合う軸６１を進退させて、封水姿勢にあるときの排水トラップ２の下流端の開口を通じて、排水トラップ２内に嵩上げ部材５を出し入れする。
【００２２】
駆動部６は、前述の所定の高さの喫水線よりも低い位置まで、嵩上げ部材５を挿入する。そして、駆動部６は、排水トラップ２の回動軌跡の外側の待機位置まで、嵩上げ部材５を排水トラップ２内から引き出す。この待機位置とは、本実施形態では、封水姿勢にあるときの排水トラップ２と、トラップケース７の上壁７２との間の位置である（図２参照）。
【００２３】
上述した本実施形態の水洗便器は、例えば以下のように動作する。
【００２４】
本実施形態の水洗便器は、排水を行う前の待機状態では、図１に示す状態となっている。つまり、待機状態の水洗便器では、排水トラップ２が封水姿勢にあり、排水トラップ２内に嵩上げ部材５が位置して、排水トラップ２内には、封水に十分な所定の高さの喫水線が形成されている。
【００２５】
用便後、水洗便器やトイレルームの壁に設けたスイッチを押すと、駆動部６のモーターが駆動して、嵩上げ部材５を排水トラップ２内から引き出し、嵩上げ部材５を待機位置に待機させる。
【００２６】
その後、給水部４が便器ボウル１への水の供給を開始し、切替部３のモーターが駆動して、排水トラップ２が封水姿勢から上姿勢へと回動される。その後、切替部３により排水トラップ２が上姿勢から排水姿勢へと回動される（図２参照）。
【００２７】
排水トラップ２の上姿勢から排水姿勢への回動を開始するタイミングで、給水部４は水の供給を一旦停止する。なお、排水トラップ２は、切替部３によって封水姿勢から、上姿勢を介さずに、排水姿勢に直接回動されてもよい。
【００２８】
便器ボウル１内及び排水トラップ２内に溜まっている水や排泄物等は、排水姿勢にある排水トラップ２の下流端部の開口からトラップケース７へ排出され、その後、トラップケース７の排出口７１を通じて外部の下水管へ排出される。
【００２９】
排水トラップ２が排水姿勢となってから所定時間が経過し、水や排泄物等が排水トラップ２から排出されたタイミングで、給水部４が便器ボウル１への水の供給を開始する。その後、切替部３のモーターが駆動して、排水トラップ２が排水姿勢から封水姿勢へと回動される。排水トラップ２が封水姿勢に至ると、駆動部６のモーターが駆動して、待機位置にある嵩上げ部材５を、排水トラップ２内に形成する前述の所定の高さの喫水線よりも低い位置まで移動させる。
【００３０】
排水トラップ２内及び便器ボウル１内に封水に十分な所定の高さの喫水線が形成されると、給水部４が水の供給を停止する（図１参照）。ここで、便器ボウル１内に形成される喫水線と、排水トラップ２内に形成される喫水線とは同じ高さである。
【００３１】
以上説明した本実施形態の水洗便器は、下記の構成を備えることを特徴とする。
【００３２】
すなわち、本実施形態の水洗便器は、底部に排水口１０を有する便器ボウル１と、排水口１０に接続された変形可能な排水トラップ２と、排水トラップ２を排水姿勢と封水姿勢とに切り替える切替部３と、便器ボウル１に水を供給する給水部４とを備える。更に、本実施形態の水洗便器は、封水姿勢にあるときの排水トラップ２内の水を嵩上げする嵩上げ部材５と、嵩上げ部材５を排水トラップ２内に出し入れする駆動部６とを備える。
【００３３】
このような構成を備えることで、本実施形態の水洗便器では、排水トラップ２を排水姿勢から封水姿勢に切り替えて、給水部４から供給される水を排水トラップ２内に溜めていくときに、排水トラップ２内に嵩上げ部材５を挿入することができる。これにより、本実施形態の水洗便器では、排水トラップ２内に封水に十分な高さの喫水線を形成するために必要な水の総量を、嵩上げ部材５の体積の分だけ減らすことができる。したがって、本実施形態の水洗便器では、排水トラップ２内に溜める水の量を抑えたうえで、排水トラップ２内に封水に十分な高さの喫水線を確保でき、節水を行うことができる。また、本実施形態の水洗便器では、排水トラップ２を封水姿勢から排水姿勢に切り替える際には、駆動部６によって嵩上げ部材５を排水トラップ２内から引き出すことができるため、この姿勢の切り替えの際に嵩上げ部材５が邪魔になることが抑制される。
【００３４】
更に、本実施形態の水洗便器は、上記の構成に加えて、下記の構成を付加的に備える。
【００３５】
すなわち、本実施形態の水洗便器は、駆動部６は、排水トラップ２が封水姿勢にあるときに、嵩上げ部材５の出し入れを行うように設けたものである。
【００３６】
このような構成とすることで、本実施形態の水洗便器では、嵩上げ部材５を直線的に進退させて、排水トラップ２への出し入れを行うことができ、嵩上げ部材５の出し入れを行う駆動部６を、簡単な機構で形成することができる。
【００３７】
なお、上述した本実施形態の水洗便器は、排水トラップ２が封水姿勢にあるときに、駆動部６が嵩上げ部材５を排水トラップ２内に出し入れするものであったが、これに限定されない。つまり、駆動部６は、排水トラップ２が排水姿勢から封水姿勢へと切り替わっていく途中のタイミングで、排水トラップ２内に嵩上げ部材５を挿入するように設けたものであってもよい。
【００３８】
また、上述した本実施形態の水洗便器では、駆動部６は、封水姿勢にあるときの排水トラップ２内に形成する所定の高さの喫水線よりも下方に位置するように、嵩上げ部材５を挿入するものであったが、これに限定されない。つまり、駆動部６は、嵩上げ部材５の一部が前記喫水線よりも上方に位置し、残りの部分が前記喫水線よりも下方に位置するように、封水姿勢にあるときの排水トラップ２内に嵩上げ部材５を挿入するように設けたものであってもよい。この場合の水洗便器でも、ある程度の節水を図ることが可能である。
【００３９】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４０】
１      便器ボウル
２      排水トラップ
３      切替部
４      給水部
５      嵩上げ部材
６      駆動部
１０    排水口
【図１】
2016118000.tif 000003
【図２】
2016118000.tif 000004